(57)【要約】【課題】簡便に帽子に取り付けることができる帽子用紫外線防止物を提供することを課題とする。【解決手段】布状の紫外線防止用部材（ｂ）を、輪状のバンド（ａ）周辺部に設け、かつ、輪状のバンドが布状の紫外線防止用部材を設けていない部位（ｃ）を有する帽子用紫外線防止物を提供することにより、簡便に帽子に取り付けることで首、または首および顔側面への紫外線を防止することができる。【選択図】図１
2006274523.tif 000002
【特許請求の範囲】
【請求項１】
布状の紫外線防止用部材を、輪状のバンド周辺部に設け、かつ、輪状のバンドが布状の紫外線防止用部材を設けていない部位を有する帽子用紫外線防止物
【発明の詳細な説明】
【技術分野】
【０００１】本発明は帽子に取り付けることにより、紫外線から首、または首および顔の側面部などを保護する技術に関する。
【背景技術】
【０００２】従来の、帽子に取り付けることにより紫外線から首などを保護する物としては、布またはシートをクリップなどの留め具により帽子に取り付けるものであった。【特許文献１】特開平９−７８３３０
【特許文献２】登録実用新案第３０７７１２４
【発明の開示】
【発明が解決しようとする課題】
【０００３】しかし、従来の帽子用紫外線防止物では、例えば主婦が忙しい合間の洗濯物を干す時や庭仕事にすぐ使用するには、クリップなどの留め具をとめるには面倒であった。そこで、本発明はさらに簡便に帽子に取り付けることができる帽子用紫外線防止物を提供することを課題とする。
【課題を解決するための手段】
【０００４】上記課題を解決するために、本発明は、布状の紫外線防止用部材を、輪状のバンド周辺部に設け、かつ、輪状のバンドが布状の紫外線防止用部材を設けていない部位を有する帽子用紫外線防止物を提供する。さらにはバンドが弾性を有する上記の帽子用紫外線防止物を提供する。本発明において輪状のバンドとは、例えば図１の（ａ）に示されるものであり、帽子のつばの上、または、つばと帽子頭部の境界に位置し得るバンドであればよい。
【図１】
バンドの種類としては例えば次のものが挙げられる。まず、袋状に縫った布の中にゴムを通したもの、または、ゴムを編みこんだバンド、ジャージ素材、ポリウレタン等のストレッチ素材等、弾性を有するものが挙げられる。この場合、バンドの一部をゴム状にする等、バンドの一部に弾性を有する形態でもかまわない。また、ベルト状の両端をマジックテープ、スナップなどでとめることにより、輪状のバンドを形成させるものでもよい。この場合、バンドは弾性を有さなくてもかまわない。さらに本発明では、図１に示すようにバンドの上部になにも取り付けない形態でもよいが、図２に示すように、バンドの上部に帽子頭部を覆うような布などを設ける形態でもかまわない。
【図２】
バンドの大きさは、つばと帽子頭部の境界部の周囲と同じか少し小さめにして、軽く帽子にとめられる大きさであれば良い。このように、本発明では、バンドにより帽子にとめることができるため、帽子に取り付けるための留め具を有さなくてもよい。本発明において布状の紫外線防止用部材とは、上記輪状のバンド周辺に設けることで、本発明品を帽子の上から着用した際に、首の後部、顔の側面、首の側面などを覆う部材をいう。布状とは、紫外線カットの機能を有する布またはシートであってもよいが、通常の布でも本発明の目的を達することができる。紫外線防止用部材としては、例えば上記図１または図２の（ｂ）に示されるものが挙げられるが、その大きさおよび形は、帽子のつばの幅より長く、首の後部、または、顔の側面、首の側面および後部を覆う大きさと形であれば良い。従って、首の後ろのみを紫外線から保護すればよい場合は、首の後ろのみを覆う形でもよく、顔の側面まで紫外線を保護したい場合は、顔の側面から首の後ろまで覆う形にすればよい。本発明において、「輪状のバンドが布状の紫外線防止用部材を設けていない部位」とは、例えば上記図１または図２の（ｃ）に示されるものが挙げられるが、少なくとも、本発明を着用した際に、紫外線防止用部材が視界を支障なく遮らない程度の長さであればよい。本発明は主に首や顔の側面への紫外線を防止するものであり、少なくとも顔の前面の視界を支障なく遮らない程度を残して紫外線防止用部材を設ければよい。本発明品の作成方法は、特に制限はなく、例えば実施例１で示すように、輪状のバンドと布状の紫外線防止用部材を縫い合わせる方法や、帯状のバンドと布状の紫外線防止用部材が一体に裁断された布からバンドを輪状に縫い合わせることで作成する方法などが挙げられる。
【発明の効果】
【０００５】本発明はクリップなどの留め具を必要とせずに、帽子を着用した上からかぶるだけで帽子に取り付けることができるので、簡便に使用することで、紫外線を防止できる。
【発明を実施するための最良の形態】以下の実施例により、本発明の最良の形態を示す。
【実施例】
【０００６】実施例１３．５ｃｍ×１１５ｃｍの布（ｄ）と６０ｃｍ×２６ｃｍの布（ｅ）を図３のように縫う。
【図３】
次に布（ｄ）の両端を縫い輪状にし、さらに袋状に縫った後、中にゴムを通し、輪状のバンド（ａ）の周囲が５４ｃｍの帽子用紫外線防止物（図１）を作成した。
【図４】
実施例１で作成した帽子用紫外線防止物を図４のように帽子の上から着用することで、簡単に着用することができ、顔の側面、首の側面、および首の後部への紫外線を防止することができた。
【図５】
【図面の簡単な説明】
【０００７】
【図１】本発明の１実施形態である（図１）。
【図２】本発明の１実施形態である（図２）。
【図３】本発明の実施例１を作成する途中の形態である（図３）。
【図４】本発明の実施例１を着用した時の側面図である（図４）。
【符号の説明】
【０００８】（ａ）輪状のバンド（ｂ）布状の紫外線防止用部材（ｃ）輪状のバンドが布状の紫外線防止用部材を設けていない部位
【図１】
2006274523.tif 000003
【図２】
2006274523.tif 000004
【図３】
2006274523.tif 000005
【図４】
2006274523.tif 000006
【手続補正書】
【提出日】平成17年8月16日(2005.8.16)
【手続補正１】
【補正対象書類名】明細書
【補正対象項目名】０００６
【補正方法】変更
【補正の内容】
【０００６】実施例１
３．５ｃｍ×１１５ｃｍの布（ｄ）と６０ｃｍ×２６ｃｍの布（ｅ）を図３のように縫う。【図３】次に布（ｄ）の両端を縫い輪状にし、さらに袋状に縫った後、中にゴムを通し、輪状のバンド（ａ）の周囲が５４ｃｍの帽子用紫外線防止物（図１）を作成した。
【図４】実施例１で作成した帽子用紫外線防止物を図４のように帽子の上から着用することで、簡単に着用することができ、顔の側面、首の側面、および首の後部への紫外線を防止することができた。
【手続補正書】
【提出日】平成17年10月21日(2005.10.21)
【手続補正１】
【補正対象書類名】明細書
【補正対象項目名】０００６
【補正方法】変更
【補正の内容】
【０００６】実施例１３．５ｃｍ×１１５ｃｍの布（ｄ）と６０ｃｍ×２６ｃｍの布（ｅ）を図３のように縫う。「図３」次に布（ｄ）の両端を縫い輪状にし、さらに袋状に縫った後、中にゴムを通し、輪状のバンド（ａ）の周囲が５４ｃｍの帽子用紫外線防止物（図１）を作成した。「図４」実施例１で作成した帽子用紫外線防止物を図４のように帽子の上から着用することで、簡単に着用することができ、顔の側面、首の側面、および首の後部への紫外線を防止することができた。
【手続補正書】
【提出日】平成18年2月6日(2006.2.6)
【手続補正１】
【補正対象書類名】特許請求の範囲
【補正対象項目名】請求項１
【補正方法】変更
【補正の内容】
【請求項１】
布状の紫外線防止用部材を、弾性を有する輪状のバンド周辺部に設け、かつ、輪状のバンドが布状の紫外線防止用部材を設けていない部位を有する帽子用紫外線防止物であって、輪状のバンドが帽子に取り付けるための留め具を有さない帽子用紫外線防止物